【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
自動車玩具（４）を走行させることを目的とした走行路（１）であって、蓄光機能を有する材料を用いた蓄光層（２）を、路面上方からの光が蓄光層（２）に届き、かつ
路面上方から蓄光層（２）の発光が見えるように路面に備えたことを特徴とする自動車玩具用走行路。
【請求項２】
前記蓄光層（２）は、路面の自動車玩具（４）が走行可能な範囲を含み、かつ自動車玩具（４）の走行可能進路に沿って連続した範囲に備えたことを特徴とする請求項１記載の自動車玩具用走行路。
【手続補正２】
【補正対象書類名】明細書
【補正対象項目名】０００１
【補正方法】変更
【補正の内容】
【０００１】
【発明の属する技術分野】
本発明は、自動車玩具を走らせることを目的とした走行路に蓄光機能を走行可能進路
に沿って連続した範囲に設け、暗い場所で使用した場合に短波長光の照射手段と組み
合わせることによって路面の任意の部分を発光せしめ、視覚的効果を作り出せるよう
にしたことを特徴とする自動車玩具用走行路に関するものである。
【手続補正３】
【補正対象書類名】明細書
【補正対象項目名】０００４
【補正方法】変更
【補正の内容】
【０００４】
【課題を解決するための手段】
自動車玩具（４）を走行させることを目的とした走行路（１）であって、蓄光機能を
有する素材を用いた蓄光層（２）を、自動車玩具（４）が走行可能な範囲を含み、
かつ自動車玩具（４）の走行可能進路に沿って連続した範囲に、路面上方からの光が
蓄光層（２）に届き、かつ、路面上方から蓄光層（２）の発光が見えるように
備えた。本発明は以上の構成よりなる自動車玩具用走行路である。
【手続補正４】
【補正対象書類名】明細書
【補正対象項目名】０００５
【補正方法】変更
【補正の内容】
【０００５】
【発明の実施の形態】
以下、本発明の実施の形態について説明する。自動車玩具（４）を走行させることを
目的とした走行路（１）において、蓄光機能を有する素材を用いた蓄光層（２）を、
路面表面、もしくは内部に備える。これによって自動車玩具（４）に備わるヘッド
ライト等の発光のみに頼らず走行路においても広い範囲で蓄光層（２）の発光に
よる光を使った視覚演出効果が走行路（１）上の広範囲で可能となる。また、この
蓄光層（２）を備える範囲は、自動車玩具（４）が走行可能な範囲を含み、かつ
自動車玩具（４）の走行可能進路に沿って連続した範囲とする。これによって、
自動車玩具（４）側に蓄光層（２）を発光せしめる手段を備えている場合、更に
多様な視覚演出効果が可能となる。
【手続補正５】
【補正対象書類名】明細書
【補正対象項目名】０００６
【補正方法】変更
【補正の内容】
【０００６】
蓄光層（２）を備える４つの実施例を図１から図４に示す。図１に示す実施例１に
おいては、走行路（１）を透明、もしくは半透明色の光透過性の成型材料にて
成型し、路面の裏側から蓄光機能シートを上面に貼り付けたプレート（３）、
もしくは蓄光機能塗料によって上面を塗装し、蓄光層（２）を形成したプレート
（３）を取り付ける。塗装の場合、プレート部材（３）の色調は白色又は乳白色と
することで、蓄光層（２）の発光を内部で反射し、発光輝度を高めることが出来る。
尚、この構造の場合、プレート（３）は自動車玩具（４）走行時に応力を受けない
ため、紙等の安価な材料を用いることが出来る。また、この構造では蓄光層（２）が
路面表面から保護されているため耐久性に優れる。
【手続補正６】
【補正対象書類名】明細書
【補正対象項目名】０００７
【補正方法】変更
【補正の内容】
【０００７】
図２に示す実施例２おいては、路面表面に蓄光層（２）として蓄光機能塗料を塗装や
印刷などの手段を用いて付着させることで備える。走行路（１）の色調が暗い色の
場合は蓄光層（２）の下地層（５）を白色等の明るい色で塗装もしくは印刷する
ことで蓄光層（２）の発光を反射し、発光輝度を高めることが出来る。
【手続補正７】
【補正対象書類名】明細書
【補正対象項目名】０００８
【補正方法】変更
【補正の内容】
【０００８】
図３に示す実施例３においては、走行路面表面に蓄光層（２）として蓄光機能シート
を、粘着シート（６）を用いて貼り付けることによって備える。この実施例では、
塗装や印刷等を行うことによって蓄光層（２）を備える場合と比べて、蓄光機能
シート単体で印刷等を行うことが出来るため、製造が容易である。
【手続補正８】
【補正対象書類名】明細書
【補正対象項目名】０００９
【補正方法】変更
【補正の内容】
【０００９】
図４に示す実施例４においては、走行路（１）本体を、蓄光機能顔料、もしくは
蓄光機能材料を用いて作られた顆粒もしくは粉黛を混合した成型材を用いて成型する
ものである。２色成形技術を用いて路面表面だけを蓄光機能材料で成形してもよい。
以上に示した様な手段を用いることで、路面上方からの光が蓄光層（２）に届き、
かつ、路面上方から蓄光層（２）の発光が見えるようにすることが出来、蓄光層
（２）を自動車玩具（４）が走行可能な範囲を含み、かつ自動車玩具（４）の走行
可能進路に沿って連続した範囲に備えることが可能である。尚、蓄光機能シート、
蓄光機能塗料、蓄光機能成型材料等については本発明の範疇ではなく夫々の発明にて
詳しく述べられており、また、既に市販され普及しているためこれらの説明は省く。
【手続補正９】
【補正対象書類名】明細書
【補正対象項目名】００１０
【補正方法】変更
【補正の内容】
【００１０】
【発明の効果】
本発明により、暗い場所において、例えば路面上方からブラックライト等の短波長
光源で走行路を照らすことによって、蓄光層（２）が励起されることで路面が
発光し、走行する自動車玩具（４）の車体を下面から照らし出し、影を浮かび上が
らせる照明効果が得られる。また、本発明とは別の発明である図５に示すような
車体の底面に短波長光照射手段（７）を備え、走行路の路面に紫外線等の短波長光を
照射するようにした自動車玩具（４）（特願２００３−５４９１２参照）と併用
することによって、様々なパターンの光跡を路面に描くことが可能となる。例えば
自動車玩具（４）のヘッドライトの照光機能と併用すればヘッドライトの光が流れる
ように見せる視覚効果が得られ、自動車玩具（４）のブレーキランプの照光機能と
併用し、点灯と同時に蓄光層（２）に光を照射するようにすれば、ブレーキランプの
光が流れるように見せる視覚効果が得られる。また、自動車玩具（４）の各々の車輪
の側に短波長光照射手段（７）を配置していれば蓄光層（２）にタイヤの跡のような
光跡を描きながら走行させることが可能となる。このように、車体の存在感、移動
感、スピード感を高める様々な視覚演出効果を得ることが可能となる。本発明はこの
様に従来不可能であった動的視覚効果を含む多様な演出効果をもたらすことを可能と
したものである。
【手続補正１０】
【補正対象書類名】明細書
【補正対象項目名】図面の簡単な説明
【補正方法】変更
【補正の内容】
【図面の簡単な説明】
【図1】
本発明の実施例１断面図
【図２】
本発明の実施例２断面図
【図３】
本発明の実施例３断面図
【図４】
本発明の実施例４断面図
【図５】
短波長光照射手段を備えた自動車玩具の断面図
【符号の説明】
１．走行路
２．蓄光層
３．プレート
４．自動車玩具
５．下地層
６．両面粘着シート、あるいは接着剤
７．短波長光照射手段